(57)【要約】【課題】従来技術と比べて、磁路長を短縮することができ、コイルの巻回数を大きくせずとも、インダクタンスを大きくし得るリアクトル装置を提供する。【解決手段】１対のＥコア１０１Ａ、Ｂを、対応する脚部コア部１０１Ａ１〜Ａ３、１０１Ｂ１〜Ｂ３が互いに突き合せられるように配設するとともに、対応する脚部コア部１０１Ａ１〜Ａ３、１０１Ｂ１〜Ｂ３の突き合せ部分のうち、一方の外脚コア部１０１Ａ１、Ｂ１の突き合せ部分と他方の外脚コア部１０１Ａ２、Ｂ２にＩコア１０２Ａ、Ｂを挟み、このＩコア１０２Ａ、Ｂが、中脚コア部１０１Ａ３、Ｂ３の突き合せ部分の近傍まで延びるように配設してなり、２つの中脚コア部１０１Ａ３、Ｂ３に、互いに逆方向に流れる磁束を発生させるコイル部１０３、１０４を巻回してなる。【選択図】図１
2019201058.tif 000002
【特許請求の範囲】
【請求項１】
ベースコア部分と、このベースコア部分から同一方向に突出する３つ以上の脚部コア部分とを備えた多脚コア部材を少なくとも１対有し、
これら少なくとも１対の多脚コア部材を、対応する該脚部コア部分が互いに突き合せられるように配設するとともに、対応する該脚部コア部分の突き合せ部分のうち、前記脚部コア部分の配列方向の端部から数えて、第ｎ番目の突き合せ部分と第ｎ＋２番目の突き合せ部分に、各々サブコア部材を挟み、これらサブコア部材の各々が、前記端部から第ｎ＋１番目の突き合せ部分の近傍まで延びるように配設してなり、
前記第ｎ＋１番目の突き合せ部分を構成する２つの前記脚部コア部分の長さは前記第ｎ番目および前記第ｎ＋２番目の突き合せ部分を構成する各々２つの前記脚部コア部分の長さに比べて大きく、互いに逆方向に流れる磁束を発生させるコイル部を巻回してなる、ことを特徴とするリアクトル装置。
【請求項２】
前記第ｎ番目の突き合せ部分を構成する２つの前記脚部コア部分および前記第ｎ＋２番目の突き合せ部分を構成する２つの前記脚部コア部分の少なくとも一方に、前記第ｎ＋１番目の突き合せ部分を構成する２つの前記脚部コア部分に替えてまたは追加して、互いに逆方向に流れる磁束を発生させるコイル部を巻回してなる、ことを特徴とする請求項１に記載のリアクトル装置。
【請求項３】
前記脚部コア部分の数が３となるＥコアとされた前記多脚コア部材を１対有し、ｎが１とされて、全体として田字形状とされていることを特徴とする請求項１または２に記載のリアクトル装置。
【請求項４】
前記第ｎ＋１番目の突き合せ部分を構成する２つの前記脚部コア部分が２つの中脚コア部分であることを特徴とする請求項３に記載のリアクトル装置。
【請求項５】
前記Ｅコアの３つの脚部コア部分のいずれにもコイル部が巻回されており、前記中脚コア部分に巻回されたコイル部は、途中で第１コイル部と第２コイル部に切り離され、該中脚コア部分の両外側の外脚コア部分の一方に巻回されたコイル部と前記第１コイル部とが直列に接続されてなる第１連続コイル部、および前記外脚コア部分の他方に巻回されたコイル部と前記第２コイル部とが直列に接続されてなる第２連続コイル部、を備えていることを特徴とする請求項４に記載のリアクトル装置。
【請求項６】
前記第１連続コイル部と前記第２連続コイル部とが互いに裏返しの関係とされていることを特徴とする請求項５に記載のリアクトル装置。
【発明の詳細な説明】
【技術分野】
【０００１】
本発明は、例えば、電気自動車やハイブリッド車に搭載されるリアクトル装置に関し、詳しくは、コイル内に磁路を構成するコアの一部が挿通されてなるリアクトル装置に関するものである。
【背景技術】
【０００２】
車載の磁気結合型リアクトルとして、１対のＵコアを、両脚部の先端部を互いに突き合せることにより環状のコア部とするとともにＵの脚部に各々コイル部を巻回するようにして、合計４つのコイル部を有するように構成されたリアクトル装置が知られている。磁気結合型リアクトルは、２つのコイルについて、互いに相殺される方向の磁束を発生させることでコアの磁気飽和がされにくいようにし、さらに、相互インダクタンスを利用してリップルを抑制することで小型化を達成することができる。
【０００３】
その中でも、例えば、下記特許文献１に示すように、１対のＵコアにおいて、２つのＩコアを間に挟むように両脚部の先端部を突き合わせ、全体として日字形状に構成したものが知られている。また、下記特許文献２に示すように、上記Ｉコアの替わりにＴコアを用い、全体としてθ形に構成したものも知られている。このような中脚（上記Ｉコア部分またはＴコア部分）を有するコア形状では、漏れ磁束と銅損の低減を図る効果を奏する。
【先行技術文献】
【特許文献】
【０００４】
【特許文献１】特開２０１６−６６７２０号公報
【特許文献２】特許第６１０６６４６号公報
【発明の概要】
【発明が解決しようとする課題】
【０００５】
しかし、上述したような、Ｕコアを用いたリアクトルにおいては、磁路長が長く、コイルの巻回数を大きくしなければインダクタンスを確保することができず、リアクトル装置の小型化の要請に対応することが難しかった。
【０００６】
本発明は、上記事情に鑑みなされたもので、従来技術と比べて、磁路長を短縮することができ、コイルの巻回数を大きくしなくとも、インダクタンスを大きくし得るリアクトル装置を提供することを目的とする。
【課題を解決するための手段】
【０００７】
上記課題を解決するため、本発明に係るリアクトル装置は、
ベースコア部分と、このベースコア部分から同一方向に突出する３つ以上の脚部コア部分とを備えた多脚コア部材を少なくとも１対有し、
これら少なくとも１対の多脚コア部材を、対応する該脚部コア部分が互いに突き合せられるように配設するとともに、対応する該脚部コア部分の突き合せ部分のうち、前記脚部コア部分の配列方向の端部から数えて、第ｎ番目の突き合せ部分と第ｎ＋２番目の突き合せ部分に、各々サブコア部材を挟み、これらサブコア部材の各々が、前記端部から第ｎ＋１番目の突き合せ部分の近傍まで延びるように配設してなり、
前記第ｎ＋１番目の突き合せ部分を構成する２つの前記脚部コア部分の長さは前記第ｎ番目および前記第ｎ＋２番目の突き合せ部分を構成する各々２つの前記脚部コア部分の長さに比べて大きく、互いに逆方向に流れる磁束を発生させるコイル部を巻回してなる、ことを特徴とするものである。
【０００８】
また、前記第ｎ番目の突き合せ部分を構成する２つの前記脚部コア部分および前記第ｎ＋２番目の突き合せ部分を構成する２つの前記脚部コア部分の少なくとも一方に、前記第ｎ＋１番目の突き合せ部分を構成する２つの前記脚部コア部分に替えてまたは追加して、互いに逆方向に流れる磁束を発生させるコイル部を巻回してなる、ことが好ましい。
【０００９】
前記脚部コア部分の数が３となるＥコアとされた前記多脚コア部材を１対有し、ｎが１とされて、全体として田字形状とされていることが好ましい。
また、前記第ｎ＋１番目の突き合せ部分を構成する２つの前記脚部コア部分が２つの中脚コア部分であることが好ましい。
【００１０】
また、前記Ｅコアの３つの脚部コア部分のいずれにもコイル部が巻回されており、前記中脚コア部分に巻回されたコイル部は、途中で第１コイル部と第２コイル部に切り離され、該中脚コア部分の両外側の外脚コア部分の一方に巻回されたコイル部と前記第１コイル部とが直列に接続されてなる第１連続コイル部、および前記外脚コア部分の他方に巻回されたコイル部と前記第２コイル部とが直列に接続されてなる第２連続コイル部、を備えていることが好ましい。
【００１１】
この場合、前記第１連続コイル部と前記第２連続コイル部とが互いに裏返しの関係とされていることが好ましい。
【発明の効果】
【００１２】
本発明の磁気結合型のリアクトル装置においては、ベースコア部分から直交する方向に延びる３つ以上の脚部コア部分を備えた多脚コア部材を少なくとも１対組み合わせるようにしており、Ｕコアを用いた従来技術に比べると、脚部に巻回するコイル部の数を増やすことができる。また、磁路長を短縮したものとすることができる。これにより、従来技術と比べて、各コイル部の巻回数を大きくしなくとも、大きなインダクタンスを確保することが可能となる。
【図面の簡単な説明】
【００１３】
【図１】本発明の実施形態１に係る、Ｅコアの中脚コア部のみにコイル部を巻回したリアクトル装置を示す斜視図である。
【図２】図１に示すリアクトル装置の平面図である。
【図３】本発明の実施形態２に係る、Ｅコアのすべての脚部コア部にコイル部を巻回したリアクトル装置を示す斜視図である。
【図４】図３に示すリアクトル装置の平面図である。
【図５】図３に示すリアクトル装置の一方のコイル部のみを示す斜視図である。
【図６】図３に示すリアクトル装置の一方のコイル部のみを示す分解斜視図である。
【図７】従来例（Ａ）と本発明の実施例（Ｂ）の磁路長の違いを示す模式図である。
【発明を実施するための形態】
【００１４】
＜実施形態１＞
以下、本発明の実施形態１に係るリアクトル装置について、図１、２を参照しながら説明する。以下においては、ベースコア部に対して直角に突き出すように配された脚部が特に３本の場合について説明する（実施形態２も同様）。
【００１５】
〈リアクトル装置の主要構成〉
本発明の実施形態１に係るリアクトル装置１００の主要部は、斜視図である図１および平面図である図２に示すように、Ｅコア１０１Ａ、Ｂを、各脚部（両外脚コア部、中脚コア部（１０１Ａ１〜１０１Ａ３）および両外脚コア部、中脚コア部（１０１Ｂ１〜１０１Ｂ３））の先端が互いに対向するように配置され、合わせて日字状のコア部が形成される。
【００１６】
また、これら対向する脚部のうち両外脚コア部１０１Ａ１，１０１Ｂ１、１０１Ａ２,１０１Ｂ２間に、板状のＩコア１０２Ａ、Ｂが一端側において、それぞれ厚み方向に挟持されてなる。これら１対の板状のＩコア１０２Ａ、Ｂの他端側は、日字状のコア部の中心位置近傍において、各々Ｅコア１０１Ａ、Ｂの中脚コア部１０１Ａ３、１０１Ｂ３の側面にギャップを介して近接配置される。
これにより、コア部は、Ｅコア１０１Ａ、ＢとＩコア１０２Ａ、Ｂが組み合わされて、全体として田字状に形成される。
【００１７】
また、各Ｅコア１０１Ａ、Ｂの中脚コア部１０１Ａ３、１０１Ｂ３の周囲には、平角線をエッジワイズ巻きとすることにより形成したコイル部１０３、１０４が配設される。すなわち、コイル部１０３はＥコア１０１Ａの中脚コア部１０１Ａ３を取り巻くように配置され、一方、コイル部１０４はＥコア１０１Ｂの中脚コア部１０１Ｂ３を取り巻くように配置される。
【００１８】
また、これら２つのコイル部１０３、１０４は、電流が流されたときに、磁束が反対方向に流れるような向きに平角線が巻回されている。すなわち、コイル部１０３の一方の端部１０３Ａから他方の端部１０３Ｂへ電流が流れたとき、図２に破線で示すように、中脚コア部１０１Ａ３を流れる磁束と、中脚コア部１０１Ｂ３を流れる磁束とが、互いに逆方向となり、２つの中脚コア部１０１Ａ３、１０１Ｂ３の当接位置（対向位置）でぶつかり、磁束は左右に分かれてＩコア１０２Ａ、Ｂを、外側に向かって流れる。この後、磁束はＥコア１０１Ａ、Ｂの外脚コア部１０１Ａ１、１０１Ａ２、１０１Ｂ１、１０１Ｂ２から各ベースコア部１０１Ａ４、１０１Ｂ４を通って各中脚コア部１０１Ａ３、１０１Ｂ３に戻ることになる。このようにして磁束線が田字状のコアを周回する磁束ループが形成される。
【００１９】
このとき、２つのコイル部１０３、１０４により２相のリアクトル装置が構成されるので、１相のリアクトル装置を２つ設けるよりも装置のコンパクト化を図ることができる。
また、Ｅコア１０１Ａ、Ｂの中脚コア部１０１Ａ３、１０１Ｂ３に各々コイル部１０３、１０４を設けることにより、装置全体として対称形状となり、磁気結合が効率的となる。
また、本実施形態のリアクトル装置では、上記Ｅコア１０１Ａ、Ｂを日字状に組み合わせたものに、Ｉコア１０２Ａ、Ｂを組み合わせて、全体として田字状に形成して磁路長を短縮するとともに、コイル部１０３、１０４が巻回されていないＩコア１０２Ａ、Ｂの作用により、他方のコイルに影響しない漏れ磁束の磁路を確保することができ、コイル部１０３、１０４の巻回数にかかわらず、鉄損を低く抑えることができる。
【００２０】
また、上述したように、Ｉコア１０２Ａ、Ｂは、Ｅコア１０１Ａ、Ｂの中脚コア部１０１Ａ３、１０１Ｂ３の当接部分に対して、当接せず、若干のギャップ１０５Ａ、Ｂを介して対向している。
このように、Ｉコア１０２Ａ、Ｂと中脚コア部１０１Ａ３、１０１Ｂ３の間にギャップ１０５Ａ、Ｂを設ける構成とする。
なお、このギャップ１０５Ａ、Ｂはエアギャップとされていてもよいし、スペーサーを用いたギャップとされていてもよい。
【００２１】
また、Ｅコア１０１Ａ、Ｂの中脚コア部１０１Ａ３、１０１Ｂ３には、両外脚コア部１０１Ａ１、１０１Ａ２, １０１Ｂ１、１０１Ｂ２からの磁束が合流するので、中脚コア部１０１Ａ３、１０１Ｂ３の断面積は両外脚コア部１０１Ａ１、１０１Ａ２, １０１Ｂ１、１０１Ｂ２の断面積と比べて大きくなるように形成されている。
【００２２】
なお、各Ｅコア１０１Ａ、Ｂおよび各Ｉコア１０２Ａ、Ｂの、肩部１０１Ｃ１、Ｃ２，１０１Ｄ１、Ｄ２，１０２Ｃ、Ｄの角は磁束が流れにくいので、この肩部１０１Ｃ１、Ｃ２，１０１Ｄ１、Ｄ２，１０２Ｃ、Ｄの角を除去してコア全体をコンパクト化するように面取りが施されている。
【００２３】
＜コア部の構成材料＞
本実施形態においては、Ｅコア１０１Ａ、ＢおよびＩコア１０２Ａ、Ｂの構成材料としてダストコアを圧粉したものを用いているが、フェライトやケイ素鋼を積層した積層コアを用いることもできる。
Ｅコア１０１Ａ、ＢとＩコア１０２Ａ、Ｂは、互いに同一材料により構成してもよいし、異なる材料により構成してもよい。
【００２４】
＜コイル部＞
また、上記コイル部１０３、１０４は平角線をエッジワイズ巻きにより巻回することにより形成されている。平角線は、図１等に示すように帯状の扁平な導線であって、例えば、厚みが0.5〜6.0mm、幅が1.0〜16.0mm等とされたものが一般的に用いられる。もちろん、丸線等の他の断面形状のものを用いることが可能である。
コイル部１０３の両端部は、一端部１０３Ａがコア部全体の内部側に位置し、他端部１０３Ｂがコア部全体の外部側に位置する。コイル部１０４においても、その両端部は、一端部１０４Ａがコア部全体の内部側に位置し、他端部１０４Ｂがコア部全体の外部側に位置する。
【００２５】
２つのコイル部１０３、１０４は、前述したように、発生する直流の磁束が互いに打ち消しあうような方向に巻回することになるので、前述したように平角線を逆向きに巻回して、両コイル部１０３、１０４に通電される電流の向きを同じとしてもよいし、平角線を同じ向きに巻回して、両コイル部１０３、１０４に通電される電流の向きを逆向きとしてもよい。
【００２６】
Ｅコア１０１Ａ、Ｂとコイル部１０３、１０４の組立においては、Ｅコア１０１Ａ、ＢとＩコア１０２Ａ、Ｂの接着を行う前工程において、筒状に形成しておいたコイル部１０３、１０４に、Ｅコア１０１Ａ、Ｂを挿通し、これにより、コイル部１０３、１０４がＥコア１０１Ａ、Ｂの周囲に巻回された状態を形成する。
【００２７】
また、図７に示すように、１対のＵコアを組み合わせた従来例のもの（Ａ）と、１対のＥコアを組み合わせた本実施例のもの（Ｂ）との磁路長の違いを表したものである。図７（Ａ）、（Ｂ）において、磁路は破線で表されている。
この従来例および実施例は、互いに透磁率μおよび磁路の断面積Ａが等しい値となるように設定されている。なお、両者のコア部は、計算の便宜を考慮して、Ｉコアやギャップについて省略された構成とされている。
上記のような前提のもと、両者の磁路長ｌについて計算を行ったところ、（Ａ）の従来例においては３１７ｍｍであったものに対し、（Ｂ）の実施例においては１２２ｍｍとすることができた。
【００２８】
ところで、インダクタンスＬは、下式（１）で表される。
Ｌ＝μ・Ａ・Ｎ２／磁路長ｌ      （１）
ただし、μは透磁率、Ａは磁路の断面積、Ｎはコイルの巻回数、を表す。
したがって、インダクタンスＬは磁路長ｌに反比例するので、磁路長の相違により、実施例のものでは従来例のものに比べて、インダクタンスＬが317/122（≒2.60）倍となる。
実施例のものを従来例のものと同様のインダクタンスＬとするのであれば、コイルの巻回数において、実施例のものを従来例のものの（122/317）１/２、すなわち、約62％まで低減することができる。
【００２９】
＜実施形態２＞
次に、本発明の実施形態２に係るリアクトル装置について、図３〜６を参照しながら説明する。なお、実施形態２に係るリアクトル装置２００は、上記実施形態１に係るリアクトル装置１００とコア部（Ｅコア２０１Ａ、ＢおよびＩコア２０２Ａ、Ｂ）については同じとされ、磁束線の流れについても同様とされており（図４を参照）、コイル部２０３Ａ〜Ｄ、２０４Ａ〜Ｄのみが異なった構成とされている。したがって、コア部については詳しい説明は省略し、コア部の各部材については、上記実施形態における部材の付番に１００を加えた付番を本実施形態の部材の付番とする。
【００３０】
図３、４に示すように、各Ｅコア２０１Ａ、Ｂの、両外脚コア部２０１Ａ１、Ａ２，２０１Ｂ１、Ｂ２および中脚コア部２０１Ａ３、２０１Ｂ３の周囲には、平角線をエッジワイズ巻きとすることにより形成したコイル部２０３Ａ〜Ｄ、２０４Ａ〜Ｄが配設される。
このうち、コイル部２０３ＡはＥコア２０１Ａの一方の外脚コア部２０１Ａ１を取り巻くように配置され、コイル部２０３ＤはＥコア２０１Ａの他方の外脚コア部２０１Ａ２を取り巻くように配置される。
【００３１】
また、コイル部２０３Ｂはコイル部２０３Ａから延びた平角線がＥコア２０１Ａの中脚コア部２０１Ａ３の先端部側に巻回されて形成される。このとき、コイル部２０３Ａの端部２０３Ａ１からコイル部２０３Ｂの端部２０３Ｂ１に電流が流れるとすると、コイル部２０３Ａでは、Ｉコア２０２Ａから外脚コア部２０１Ａ１の根本部側に流れる磁束が発生するように平角線が巻回され、一方、コイル部２０３Ｂでは、中脚コア部２０１Ａ３の根元部側から先端部側に流れる磁束が発生するように平角線が巻回される。
【００３２】
一方、コイル部２０３Ｃは、Ｅコア２０１Ａの中脚コア部２０１Ａ３の根本部側に巻回されて形成され、このコイル部２０３Ｃに巻回された平角線が延びて、前述したコイル部２０３Ｄを形成することになる。このとき、コイル部２０３Ｃの端部２０３Ａ２からコイル部２０３Ｄの端部２０３Ｂ２に電流が流れるとすると、コイル部２０３Ｃでは、中脚コア部２０１Ａ３の根本部側から先端部側に流れる磁束が発生するように平角線が巻回され、一方、コイル部２０３Ｄでは、Ｉコア２０２Ｂから外脚コア部２０１Ａ２の根本部側に流れる磁束が発生するように平角線が巻回される。
【００３３】
また、上記のコイル部のうち、コイル部２０４ＡはＥコア２０１Ｂの一方の外脚コア部２０１Ｂ１を取り巻くように配置され、コイル部２０４ＤはＥコア２０１Ｂの他方の外脚コア部２０１Ｂ２を取り巻くように配置される。
【００３４】
また、コイル部２０４Ｂはコイル部２０４Ａから延びた平角線がＥコア２０１Ｂの中脚コア部２０１Ｂ３の先端部側に巻回されて形成される。このとき、コイル部２０４Ａの端部２０４Ａ１からコイル部２０４Ｂの端部２０４Ｂ１に電流が流れるとすると、コイル部２０４Ａでは、Ｉコア２０２Ａから外脚コア部２０１Ｂ１の根本部側に流れる磁束が発生するように平角線が巻回され、一方、コイル部２０４Ｂでは、中脚コア部２０１Ｂ３の根元部側から先端部側に流れる磁束が発生するように平角線が巻回される。
【００３５】
一方、コイル部２０４Ｃは、Ｅコア２０１Ｂの中脚コア部２０１Ｂ３の根本部側に巻回されて形成され、このコイル部２０４Ｃに巻回された平角線が延びて、前述したコイル部２０４Ｄを形成することになる。このとき、コイル部２０４Ｃの端部２０４Ａ２からコイル部２０４Ｄの端部２０４Ｂ２に電流が流れるとすると、コイル部２０４Ｃでは、中脚コア部２０１Ｂ３の根本部側から先端部側に流れる磁束が発生するように平角線が巻回され、一方、コイル部２０４Ｄでは、Ｉコア２０２Ｂから外脚コア部２０１Ｂ２の根本部側に流れる磁束が発生するように平角線が巻回される。
【００３６】
上述したように、本実施形態２のリアクトル装置においては、Ｅコア２０１Ａ、Ｂの中脚コア部２０１Ａ３、Ｂ３に巻回するコイル部を各々２つのコイル部２０３Ｂ、Ｃ，２０４Ｂ、Ｃにより構成している。すなわち、コイル部２０３Ｂとコイル部２０３Ｃの各々には、これら両者の間の位置に端部２０３Ｂ１、２０３Ａ２が形成されてタップがとられている。これにより、コイル部２０３Ｂとコイル部２０３Ｃの間にスイッチング素子等の外部素子を介するようにして、互いに接続することができ、回路を調整しリアクトルを更に小型化することができる。このことは、コイル部２０４Ｂとコイル部２０４Ｃとの関係においても同様である。
【００３７】
また、コイル部のみを取り出して表す図５、およびこれを分解した状態を表す図６に示すように、Ｅコア２０１Ａの、３つの脚部２０１Ａ１、Ａ２、Ａ３に巻回されるコイル部２０３Ａ〜Ｄは、１本の平角線により形成されたコイル部２０３Ａとコイル部２０３Ｂよりなる第１連続コイル部、および他の１本の平角線により形成されたコイル部２０３Ｃとコイル部２０３Ｄよりなる第２連続コイル部、とに分離されている。
【００３８】
特に、本実施形態の場合には、コイル部２０３Ｂとコイル部２０３Ｃとが同じ巻回数とされており、また、コイル部２０３Ａとコイル部２０３Ｄとが同じ巻回数とされており、一方の連続コイル部を表裏逆にすると、他方の連続コイル部と互いに同一の構成となるように形成されている。なお、コイル部２０３Ｂの巻回数とコイル部２０３Ｃの巻回数を加えたものは、コイル部２０３Ａおよびコイル部２０３Ｄの各々と略同じ巻回数となるように形成されている。
コイルを製造する現場において、隣接する３つのコイル部よりなる連続コイル部を製造する設備は通常設けられていないが、隣接する２つのコイル部よりなる連続コイル部を製造する設備であれば設けられていることも多いので、上記連続コイル部は既存の設備を用いて製造し、組み立て時に一方の連続コイル部を表裏反転させて図５に示すように形成することができるので、製造を簡易かつ低コストのものとすることができる。
【００３９】
上述したＥコア２０１Ａの、３つの脚部２０１Ａ１、Ａ２、Ａ３に巻回されるコイル部２０３Ａ〜Ｄの内容は、Ｅコア２０１Ｂの、３つの脚部２０１Ｂ１、Ｂ２、Ｂ３に巻回されるコイル部２０４Ａ〜Ｄについても同様である。
なお、各Ｅコア部２０１Ａ、Ｂの３つの脚部２０１Ａ１、Ａ２、Ａ３、２０１Ｂ１、Ｂ２、Ｂ３に、各々独立した平角線を巻回して３つの脚部２０１Ａ１、Ａ２，Ａ３に巻回されるコイルと、他方の３つの脚部２０１Ｂ１、Ｂ２、Ｂ３に巻回されるコイルの各々において、磁束が一方向に流れるように直列結線し、全体として２相のコイルとすることも可能である。ただし、この場合には、Ｅコア部２０１Ａ、Ｂ全体として１２個の端部を有するものとなることから、装置のコンパクト化を図る上では不利となる。また、この場合において、磁束の流れが一方向となるように、電流の向き、コイル巻回の向きおよび、結線する端部２０４Ａ１、Ｂ１、Ａ２、Ｂ２の組み合わせに十分な配慮をする必要がある。このことは、両外側脚部２０１Ａ１、Ａ３にのみ巻回されるコイルと、他方の両外側脚部２０１Ｂ１、Ｂ３にのみ巻回されるコイルの各々において、磁束が一方向に流れるようにする場合も、同様である。
【００４０】
本発明のリアクトル装置としては上記実施形態のものに限られるものではなく、その他の種々の態様の変更が可能である。
例えば、上述した実施形態のリアクトル装置においては、ベースコア部から３つの脚部コア部が突出したＥコアを２つ組み合わせて形成されているが、本発明のリアクトル装置としてはこれに限られるものではなく、ベースコア部から４つ以上の任意の数の脚部コア部が突出した多脚コア部材を２つ以上の任意の数だけ設けるように構成することができる。
【００４１】
脚部コア部の数と、多脚コア部材の数との積が６より大きい値となるようにすることにより、上述した実施形態のものよりも大電流化が可能となる。
また、コイル部は、任意の脚部コア部に巻回可能である。また、各多脚コア部材には２相以上の任意の多相のものとすることが可能である。
また、この多脚コア部材の断面形状は矩形でなくてもよく円などの他の形状とすることも可能である。
【００４２】
Ｉコアの形状としても上記実施形態のものに限られるものではなく、その他の種々の
形状に変更が可能である。
上記では、各Ｅコアの脚部コア部に設けられたコイル部は、１つまたは２つとされているが、１つの脚部コア部に、任意の数のコイル部を設けるようにしてもよい。ただし、全体として対称形の形態をなすように構成することが好ましい。
【００４３】
また、上記実施形態においては、Ｅコアの中脚コア部にのみ、またはすべての脚部コア部にコイル部が巻回されているが、任意の脚部コア部にコイル部を巻回することができる。
また、上記実施形態２のものにおいて、中脚コア部に巻回されるコイル部は、タップをとる位置を中央とするのではなく、任意の途中位置とすることができ、また、タップをとらずに、各中脚コア部に１つのコイル部を形成してもよい。この場合、すべての脚部コア部に形成されるコイル部を１つの平角線により直列に形成することができる。
また、ギャップは、状況に応じて上述した位置とは異なる位置に形成することができる。
【符号の説明】
【００４４】
１００、２００        リアクトル装置
１０１Ａ、Ｂ，２０１Ａ、Ｂ    Ｅコア
１０１Ａ１、Ａ２、Ｂ１、Ｂ２，２０１Ａ１、Ａ２、Ｂ１、Ｂ２    外脚コア部
１０１Ａ３、Ｂ３，２０１Ａ３、Ｂ３    中脚コア部
１０２Ａ、Ｂ，２０２Ａ、Ｂ    Ｉコア
１０１Ｃ１、Ｃ２、Ｄ１、Ｄ２、１０２Ｃ、Ｄ，２０１Ｃ１、Ｃ２、Ｄ１、Ｄ２、２０２Ｃ、Ｄ    肩部
１０３、１０４、２０３Ａ〜Ｄ、２０４Ａ〜Ｄ    コイル部
１０３Ａ、Ｂ、１０４Ａ、Ｂ、２０３Ａ１、Ａ２、Ｂ１、Ｂ２、２０４Ａ１、Ａ２、Ｂ１、Ｂ２    端部（一端部、他端部）
１０５Ａ、Ｂ、２０５Ａ、Ｂ    ギャップ
【図１】
2019201058.tif 000003
【図２】
2019201058.tif 000004
【図３】
2019201058.tif 000005
【図４】
2019201058.tif 000006
【図５】
2019201058.tif 000007
【図６】
2019201058.tif 000008
【図７】
2019201058.tif 000009